(57)【要約】【課題】固形状培地内の水分及び温度を適度に調整でき、かつ植物の収穫量も向上できる養液栽培用ベットを提供する。【解決手段】養液栽培用ベットの養液保持体（固形培地）を収容するためのカバーシートの透湿度５００ｇ／（ｍ２・２４時間）以上に調整し、かつ可視光域の反射率が９０％未満の領域を形成する。このカバーシートは、透湿度が５００ｇ／（ｍ２・２４時間）以上であり、かつ防水圧は１ｋＰａ以上の透湿防水シートを含んでいてもよい。前記透湿防水シートは、ポリエチレン系樹脂を含み、かつ０．１〜１５μｍの平均孔径及び１０〜１００μｍの平均厚みを有する多孔質層と、長繊維不織布を含み、かつ１０〜１００ｇ／ｍ２の目付を有する補強層とを含んでいてもよい。【選択図】なし【特許請求の範囲】
【請求項１】
植物の養液を保持するための養液保持体と、この養液保持体を収容するためのカバーシートとを含む養液栽培用ベットであって、前記カバーシートの透湿度が５００ｇ／（ｍ２・２４時間）以上であり、かつ前記カバーシートが、可視光域の反射率が９０％未満の領域を含む養液栽培用ベット。
【請求項２】
透湿度が５００ｇ／（ｍ２・２４時間）以上であり、かつ防水圧が１ｋＰａ以上の透湿防水シートを含む請求項１記載の養液栽培用ベット。
【請求項３】
透湿防水シートが、疎水性樹脂を含む多孔質層と、不織布を含む補強層とを含む請求項２記載の養液栽培用ベット。
【請求項４】
多孔質層が、ポリエチレン系樹脂を含み、かつ０．１〜１５μｍの平均孔径及び１０〜１００μｍの平均厚みを有するとともに、補強層が、長繊維不織布を含み、かつ１０〜１００ｇ／ｍ２の目付を有する請求項３記載の養液栽培用ベット。
【請求項５】
カバーシートが、透湿防水シートのみで形成されている請求項１〜４のいずれかに記載の養液栽培用ベット。
【請求項６】
カバーシートが、透湿防水シートと非透湿シートとの組み合わせであり、養液保持体の表面又は裏面が前記透湿防水シートで覆われている請求項１〜４のいずれかに記載の養液栽培用ベット。
【請求項７】
カバーシートが袋状であり、養液保持体の全面が前記カバーシートで覆われている請求項１〜６のいずれかに記載の養液栽培用ベット。
【請求項８】
多孔質層が、養液保持体と接する内層側に配設されている請求項１〜７のいずれかに記載の養液栽培用ベット。
【請求項９】
養液保持体が、ヤシ殻粉砕物、もみ殻加工物、ピートモス及びロックウールからなる群より選択された少なくとも１種である請求項１〜８のいずれかに記載の養液栽培用ベット。
【請求項１０】
植物が野菜である請求項１〜９のいずれかに記載の養液栽培用ベット。
【請求項１１】
請求項１〜１０のいずれかに記載の養液栽培用ベットを用いて植物を栽培する方法。
【請求項１２】
カバーシートにおける可視光域の反射率が９０％未満の領域を、養液栽培用ベットの表面側に配設する請求項１１記載の方法。
【請求項１３】
養液栽培用ベットの底面を地面から離間させて植物を栽培する請求項１２記載の方法。
【発明の詳細な説明】
【技術分野】
【０００１】
本発明は、野菜などの植物を養液で栽培するための養液栽培用ベット及び植物の栽培方法に関する。
【背景技術】
【０００２】
野菜の養液栽培として、養液を保持して植物に供給するための養液保持体（固形培地）をシートで被覆した養液栽培用ベット（又はベッド）が利用されている。この養液栽培用ベットを用いた栽培方法において、野菜は一般的に栽培ハウス内で栽培されているものの、野菜の生育に適した温度に管理するのは困難である。例えば、夏期において、培地温度が上昇すると、野菜が枯れたり、生育が停止したり、着果しないため、気温が下がるまで、植え付けができない。また、培養液の水分管理も必要であり、培地内が養液で飽和状態になったときには、シートが通気性を有しない場合は酸素が不足して根痛み、腐敗などが発生する。そのため、養液栽培用ベットにおいて、野菜の生育不足や過湿による病害を抑制するために、各種の野菜栽培用ベットが提案されている。
【０００３】
特開２００５−８号公報（特許文献１）には、イチゴの高設栽培用培地を受けるシートであって、透水性シートと、その下層の非透水性シートからなり、前記非透水性シートのシート巾の中心部を下方に弛ませるように、前記透水性シートを前記非透水性シートの長手方向に沿って固着したことを特徴とするシートが開示されている。このシートでは、シート上層の透水性シートと下層の非透水性シートとの間に空間が形成されることにより、培地に養液が必要量吸収され、かつ非透水性シートが排水溝として機能することにより、培地内の根圏部を過湿状態から抑制でき、吸液管理が適格となることが記載されている。
【０００４】
しかし、この栽培方法では、培地の表面が露出しているため、表面からの水分の蒸発が大きく、水分及び温度管理が困難である上に、外部から病原菌などが侵入し易い。さらに、この文献では、透水性シート及び非透水性シートの詳細は記載されていない。
【０００５】
特開平１０−２８４８６号公報（特許文献２）には、養液、培地のいずれか一方を、昇温降温防止用シートを素材とする容器内に収納した養液栽培用ベットであって、前記昇温降温防止用シートが、合成樹脂の長繊維フィラメントが高密度に接合され、光反射率が９０％以上、光吸収率が１％以下の不織布である養液栽培用ベットが開示されている。このベットでは、昇温降温防止用シートとして、光反射率が高く、かつ光吸収率が低いシートを用いることにより、ベットへの蓄熱を抑制し、ベット内の温度上昇を防止して夏期高温期の作物の育成を助けている。また、この文献には、昇温降温防止用シートの不織布として、耐水圧性及び透湿性に優れる点から、メルトブロー法やスパンボンド法による不織布よりも高密度のフラッシュ紡糸法による高密度ポリエチレンやポリプロピレン不織布を用いることが記載されている。具体的には、合成樹脂の長繊維フィラメントが高密度に接合された不織布（デュポン社製「タイベック」）が使用されている。
【０００６】
しかし、このベットでは、シート表面から養液が蒸散して蒸散熱を奪うことが記載されているものの、シート表面の光の反射率が９０％以上と高いため、反射光の影響で葉温が上昇し、葉枯れが発生したり、着果が困難となり、野菜などの植物の収穫量が低下する。また、昇温降温防止用シートが硬質であるため、作業性も低い上に、ヒートシールして袋状に成形する場合、単層であるためか、ハンドリング中に破損し易い。さらに、光を反射してベット内の温度が低下し易く、冬場の植物の生育には適していない。
【先行技術文献】
【特許文献】
【０００７】
【特許文献１】特開２００５−８号公報（請求項１、段落［０００９］）
【特許文献２】特開平１０−２８４８６号公報（請求項１、段落［０００９］［００１２］［００１３］［００１４］［００１９］）
【発明の概要】
【発明が解決しようとする課題】
【０００８】
従って、本発明の目的は、固形培地（養液保持体）内の水分及び温度を適度に調整でき、かつ植物の収穫量も向上できる養液栽培用ベット及び植物の栽培方法を提供することにある。
【０００９】
本発明の他の目的は、浸水による外部からの病原菌の侵入を抑制できる養液栽培用ベット及び植物の栽培方法を提供することにある。
【００１０】
本発明のさらに他の目的は、柔軟で固形培地を容易に収容でき、作業性に優れる上に、簡便な構造で生産性も高い養液栽培用ベット及び植物の栽培方法を提供することにある。
【００１１】
本発明の別の目的は、冬場であっても、日光により固形培地の温度を適度に調整できる養液栽培用ベット及び植物の栽培方法を提供することにある。
【課題を解決するための手段】
【００１２】
本発明者らは、前記課題を達成するため鋭意検討した結果、養液栽培用ベットの養液保持体（固形培地）を収容するためのカバーシートを、透湿度５００ｇ／（ｍ２・２４時間）以上であり、かつ可視光域における反射率９０％未満の透湿防水シートで形成することにより、固形培地（養液保持体）内の水分及び温度を適度に調整でき、かつ植物の収穫率も向上できることを見いだし、本発明を完成した。
【００１３】
すなわち、本発明の養液栽培用ベットは、植物の養液（植物を栽培するための培養液）を保持するための養液保持体と、この養液保持体を収容するためのカバーシートとを含む養液栽培用ベットであって、前記カバーシートの透湿度が５００ｇ／（ｍ２・２４時間）以上であり、かつ前記カバーシートが、可視光域の反射率が９０％未満の領域を含む。前記カバーシートは、透湿度が５００ｇ／（ｍ２・２４時間）以上であり、かつ防水圧１ｋＰａ以上の透湿防水シートを含んでいてもよい。前記透湿防水シートは、疎水性樹脂を含む多孔質層と不織布を含む補強層とを含む透湿防水シートを含んでいてもよい。前記多孔質層が、ポリエチレン系樹脂を含み、かつ０．１〜１５μｍの平均孔径及び１０〜１００μｍの平均厚みを有していてもよい。前記補強層は、長繊維不織布を含み、かつ１０〜１００ｇ／ｍ２の目付を有していてもよい。前記カバーシートは、透湿防水シートのみで形成されていてもよい。また、前記カバーシートは、透湿防水シートと非透湿シートとの組み合わせであり、前記養液保持体の表面又は裏面（底面）が前記透湿防水シートで覆われていてもよい。前記カバーシートは袋状であり、前記養液保持体の全面が前記カバーシートで覆われていてもよい。本発明の養液栽培用ベットにおいて、前記カバーシートの多孔質層は、養液保持体と接する内層側に配設されていてもよい。前記養液保持体は、ヤシ殻粉砕物、もみ殻加工物、ピートモス及びロックウールからなる群より選択された少なくとも１種であってもよい。前記植物は野菜であってもよい。
【００１４】
本発明には、前記養液栽培用ベットを用いて植物を栽培する方法も含まれる。本発明の方法において、前記カバーシートにおける可視光域の反射率が９０％未満の領域を、前記養液栽培用ベットの表面側に配設してもよい。本発明の方法において、前記養液栽培用ベットの底面を地面から離間させて植物を栽培するのが好ましい。
【００１５】
本明細書において「養液栽培用ベット」とは、固形培地耕に用いられる一式の栽培具（栽培用キット又はセット）を意味する。さらに、本明細書において「固形栽培耕」は、養液中に根を伸長させる養液栽培（水耕栽培）や、土壌中に根を伸長させる土壌栽培ではなく、養液を固形培地に保持させて固形培地に根を伸長させる栽培であればよく、その形状や方法は特に限定されない。
【発明の効果】
【００１６】
本発明では、養液栽培用ベットの養液保持体（固形培地）を収容するためのカバーシートが、透湿度５００ｇ／（ｍ２・２４時間）以上であり、かつ可視光域における反射率９０％未満の透湿防水シートで形成されているため、固形培地（養液保持体）内の水分及び温度を適度に調整でき、かつ植物の収穫率も向上できる。また、前記カバーシートを透湿防水シートのみで形成することにより、前記水分及び温度を高度に調整できるだけでなく、浸水による外部からの病原菌の侵入を抑制できる。また、前記カバーシートを、疎水性樹脂を含む多孔質層と不織布を含む補強層とで形成すると、柔軟性に優れるため、養液保持体を容易に収容でき、作業性も向上できる。特に、疎水性樹脂を含む多孔質層と不織布を含む補強層とを含む透湿防水シートでカバーシートを形成すると、ヒートシールで容易に所望の袋状に成形できるため、簡便な構造であるにも拘わらず、生産性も高い。さらに、適度に光を吸収できるため、冬場であっても、日光により固形培地の温度を適度に調整できる。
【図面の簡単な説明】
【００１７】
【図１】図１は、晴天日における実施例の培地温度の日推移を示すグラフである。
【図２】図２は、実施例の日最高培地温度と日最高ハウス内気温との関係を示すグラフである。
【図３】図３は、実施例の日最高培地温度と日最高ハウス内気温との関係を示すグラフである。
【図４】図４は、実施例の日最低培地温度と日最低ハウス内気温との関係を示すグラフである。
【図５】図５は、実施例の頂花房第１花開花株率の推移を示すグラフである。
【図６】図６は、実施例の第２花房第１花開花株率の推移を示すグラフである。
【図７】図７は、実施例の月別株当たり収穫量調査結果を示すグラフである。
【発明を実施するための形態】
【００１８】
［カバーシート］
本発明の養液栽培用ベットは、養液保持体（固体培地）を収容するためのカバーシート（又は面材）を含む。
【００１９】
このカバーシートは、水を透過せずに水蒸気を透過することにより、養液保持体内の水分及び温度を適度に調整でき、かつ外部から病原菌などが侵入するのを抑制できる点から、ＪＩＳ  Ｋ７１２９（Ａ法）に準拠した方法において、透湿度５００ｇ／（ｍ２・２４時間）以上であり、例えば１０００〜１００００ｇ／（ｍ２・２４時間）、好ましくは２０００〜８０００ｇ／（ｍ２・２４時間）、さらに好ましくは３０００〜６０００ｇ／（ｍ２・２４時間）［特に３５００〜５０００ｇ／（ｍ２・２４時間）］程度である。透湿度が低すぎると、固形培地内の水分及び温度の管理が困難となる虞がある。なお、本明細書では、透湿度の異なる複数のシートを組み合わせてカバーシートを形成している場合、このカバーシートの透湿度は、各シートの透湿度の平均値として表される。
【００２０】
前記カバーシートは、前記ベット表面での光の反射を抑制することにより、反射光の影響で作物の収穫率が低下するのを抑制できる点から、可視光域の反射率が９０％未満の領域を含む。前記反射率は９０％未満であればよいが、好ましくは８５％以下（例えば５〜８０％）、さらに好ましくは７０％以下（例えば１０〜７０％）、特に５０％以下（例えば１５〜５０％）程度である。反射率が高すぎると、反射光の影響により植物の収穫量が低下する。
【００２１】
反射率が９０％未満の領域は、前記ベットの表面に配置されて光の反射を抑制できればよく、カバーシート全体において、前記領域の占める面積割合は１０％以上（例えば１０〜１００％）であればよいが、好ましくは３０％以上、さらに好ましくは５０％以上であり、例えば、少なくとも袋の表面側（全体の５０％）を前記領域で形成すれば、効率良く光を反射できる。カバーシートの生産性の点からは、カバーシート全体（１００％）を前記領域で形成してもよい。
【００２２】
なお、本明細書において、可視光域の反射率は、波長３８０ｎｍから７５０ｎｍまでの範囲の平均値を意味し、後述する実施例に記載の方法で測定できる。
【００２３】
（透湿防水シート）
前記カバーシートは、カバーシートの透湿度を向上できる点から、透湿防水シートを含むのが好ましい。透湿防水シートは、ＪＩＳ  Ｋ７１２９（Ａ法）に準拠した方法において、透湿度５００ｇ／（ｍ２・２４時間）以上［特に１０００ｇ／（ｍ２・２４時間）以上］であればよく、例えば１０００〜１００００ｇ／（ｍ２・２４時間）、好ましくは２０００〜８０００ｇ／（ｍ２・２４時間）、さらに好ましくは３０００〜６０００ｇ／（ｍ２・２４時間）［特に３５００〜５０００ｇ／（ｍ２・２４時間）］程度である。透湿度が低すぎると、固形培地内の水分及び温度の管理が困難となる虞がある。
【００２４】
透湿防水シートの反射率は、特に限定されないが、養液栽培用ベットの表面側に配設される場合、反射率は９０％未満であり、好ましくは８５％以下（例えば５〜８０％）、さらに好ましくは７０％以下（例えば１０〜７０％）、特に５０％以下（例えば１５〜５０％）程度である。
【００２５】
透湿防水シートは、防水性も高く、ＪＩＳ  Ｌ１０９２の耐水度試験に準拠した方法において、防水圧が１ｋＰａ以上であってもよく、例えば５〜２００ｋＰａ、好ましくは１０〜１５０ｋＰａ、さらに好ましくは１５〜１００ｋＰａ程度である。防水圧が低すぎると、水分の管理が困難となる虞がある上に、外部から病原菌なども混入し易くなる。
【００２６】
透湿防水シートは、前記透湿度を有していれば、材質や構造は特に限定されないが、柔軟性や取り扱い性、耐水性などの点から、疎水性樹脂を含む不織布（疎水性繊維で形成された不織布）や多孔質プラスチックシートが好ましく、薄肉性や柔軟性などにも優れる点から、疎水性樹脂を含む多孔質層（疎水性多孔質層又は疎水性多孔質プラスチックシート）を含む透湿防水シートが特に好ましい。
【００２７】
（１）多孔質層
前記多孔質層（疎水性多孔質層）において、疎水性樹脂としては、例えば、ポリオレフィン系樹脂、（ポリエチレン系樹脂、ポリプロピレン系樹脂など）、スチレン系樹脂（ポリスチレン、スチレン−アクリロニトリル共重合体など）、フッ素樹脂（ポリテトラフルオロエチレンなど）、（メタ）アクリル系樹脂（ポリメタクリル酸メチルなど）、ポリエステル系樹脂（ポリエチレンテレフタレート、ポリエチレンナフタレートなどのポリＣ２−４アルキレンアリレート系樹脂、液晶ポリエステルなどの全芳香族ポリエステル系樹脂など）、ポリアミド系繊維（ポリアミド６、ポリアミド６６などの脂肪族ポリアミド系樹脂、アラミド樹脂などの全芳香族ポリアミド系樹脂など）、ポリウレタン系樹脂（ポリエステル型ウレタン系樹脂、ポリエーテル型ウレタン系樹脂など）などが挙げられる。
【００２８】
これらの疎水性樹脂は、単独で又は二種以上組み合わせて使用できる。これらの疎水性樹脂のうち、柔軟性や耐水性（疎水性）などの点から、ポリオレフィン系樹脂（例えば、ポリエチレンなどのポリエチレン系樹脂やポリプロピレンなどのポリプロピレン系樹脂）が好ましく、軽量性や施工性などの点から、ポリエチレン系樹脂が特に好ましい。
【００２９】
ポリエチレン系樹脂としては、エチレン単独重合体であってもよく、エチレン系共重合体であってもよい。共重合性単量体としては、エチレン以外のα−オレフィン［例えば、プロピレン、１−ブテン、２−ブテン、１−ペンテン、１−ヘキセン、３−メチル−１−ペンテン、４−メチル−１−ペンテン、１−へプテン、１−オクテンなどのα−Ｃ３−１０オレフィン（特にα−Ｃ３−６オレフィン）など］、有機酸ビニルエステル［例えば、酢酸ビニルなど］、（メタ）アクリル酸アルキルエステル［例えば、（メタ）アクリル酸メチル、（メタ）アクリル酸エチルなどの（メタ）アクリル酸Ｃ１−６アルキルエステルなど］、これらの組合せなどが例示できる。これらの共重合性単量体は、単独で又は二種以上組み合わせて使用してもよい。
【００３０】
エチレン系共重合体において、エチレンと共重合性単量体（例えば、エチレン以外のα−オレフィン）との割合（モル比）は、前者／後者＝５０／５０〜９９．９／０．１、好ましくは６０／４０〜９９．５／０．５、さらに好ましくは７０／３０〜９９／１程度である。
【００３１】
ポリエチレン系樹脂は、例えば、低密度ポリエチレン、中密度ポリエチレン、高密度ポリエチレン、直鎖状ポリエチレン（例えば、直鎖状低密度ポリエチレンなど）、分岐鎖状ポリエチレン、アイオノマー、塩素化ポリエチレンなどであってもよい。
【００３２】
前記多孔質層は、添加剤を含んでいてもよい。添加剤としては、例えば、安定剤（耐光安定剤、耐熱安定剤など）、充填剤、発泡剤、難燃剤、帯電防止剤、界面活性剤、防虫剤（防蟻剤など）、防腐剤（防カビ剤など）などが例示できる。これらの添加剤は、単独で又は二種以上組み合わせて使用できる。添加剤の割合は、前記多孔質層全体に対して５０質量％以下、好ましくは０．０１〜３０質量％、さらに好ましくは０．１〜１０質量％程度である。
【００３３】
前記多孔質層は一軸又は二軸延伸シートであってもよい。また、多孔質層は、単層シートであってもよく、二層以上の積層シートであってもよい。
【００３４】
前記多孔質層は、慣用の方法、例えば、疎水性樹脂と粉粒状充填剤（炭酸カルシウム、シリカ、硫酸バリウムなど）とを含む疎水性樹脂組成物をシート状に成形し、延伸する方法、疎水性樹脂組成物をシート状に成形し、レーザー光又はパンチングにより細孔を形成する方法、疎水性樹脂組成物をシート状に発泡成形する方法などにより作製できる。
【００３５】
前記多孔質層は、微多孔質層であるのが好ましく、微多孔質層の細孔の平均径は０．０１〜１００μｍ（例えば、０．０５〜５０μｍ）程度の範囲から選択でき、例えば０．１〜１５μｍ、好ましくは０．５〜１０μｍ、さらに好ましくは１〜５μｍ程度である。細孔径が小さすぎると透湿性が低下する虞があり、細孔径が大きすぎると、防水性が低下する虞がある。
【００３６】
なお、多孔質層の表面の一部を、樹脂成分（例えば、（メタ）アクリル系樹脂、オレフィン系樹脂、ウレタン系樹脂などのバインダー樹脂又は樹脂エマルジョンなど）で被覆して一部の多孔部を塞ぐことにより、カバーシートの透湿度を調整してもよい。
【００３７】
前記多孔質層の厚み（平均厚み）は、例えば１０〜１００μｍ、好ましくは２０〜８０μｍ、さらに好ましくは２５〜５０μｍ（特に３０〜４０μｍ）程度である。多孔質層の厚みが薄すぎると、耐水性や防水性が低下する虞があり、逆に厚すぎると、柔軟性や施工性などが低下する虞がある。
【００３８】
（２）補強層
前記多孔質層を含む透湿防水シートは、前記多孔質層単独で形成されていてもよいが、多孔質層にクラックが生成するのを防止でき、耐久性を向上できる点などから、不織布を含む補強層をさらに含むのが好ましい。特に、多孔質層がポリエチレン系樹脂で形成されている場合、補強層（特にポリエチレン系樹脂よりも融点の高いポリエステル系繊維やポリプロピレン系繊維を含む不織布）と組み合わせることにより、ヒートシールなどで熱融着しても、ヒートシールによるダメージが少なく、ハンドリング中に破損することが抑制され、養液保持体を収容するためのカバーシートの生産性を向上できる。補強層は、前記多孔質層の透湿防水性を損なうことなく、前記多孔質層を補強できれば特に限定されず、例えば、織布、編布、ネット、紙、不織布などが挙げられる。これらのうち、生産性や多孔質層との密着性、耐久性などの点から不織布を含む多孔質層が好ましい。
【００３９】
不織布は繊維を含んでいればよく、繊維としては、例えば、天然繊維（綿、麻など）、再生繊維（レーヨンなど）、半合成繊維（セルロースエステル繊維など）、合成繊維［ポリオレフィン系繊維（ポリエチレン系繊維、ポリプロピレン系繊維など）、スチレン系繊維、テトラフルオロエチレン系繊維、アクリル系繊維、ビニルアルコール系繊維（エチレンビニルアルコール系繊維など）、ポリエステル系繊維（ポリエチレンテレフタレート、ポリエチレンナフタレートなどのポリＣ２−４アルキレンアリレート系繊維、液晶ポリエステル繊維などの全芳香族ポリエステル系繊維など）、ポリアミド系繊維（ポリアミド６、ポリアミド６６などの脂肪族ポリアミド系繊維、アラミド繊維などの全芳香族ポリアミド系繊維など）、ポリウレタン系繊維など］、無機繊維（炭素繊維やガラス繊維など）などが例示できる。
【００４０】
これらの繊維は、単独で又は二種以上組み合わせて使用できる。これらの繊維のうち、綿やレーヨンなどのセルロース系繊維、ポリエチレン繊維やポリプロピレン繊維などのポリオレフィン繊維、ポリエチレンテレフタレート繊維などのポリエステル繊維、ポリアミド６繊維などのポリアミド繊維などが汎用され、強度及び施工性の点から、ポリプロピレン系繊維、ポリエステル系繊維（特にポリエステル系繊維）が好ましい。
【００４１】
繊維の平均繊度は、例えば０．１〜５デニール、好ましくは０．２〜４デニール、さらに好ましくは０．５〜３デニール程度であってもよい。繊度が大きすぎると、透湿防水シートの柔軟性が低下する虞があり、逆に小さすぎると、補強効果が小さくなったり、透湿防水シートの透湿防水性が低下する虞がある。
【００４２】
繊維の平均繊維長は、例えば１０〜１５０ｍｍ、好ましくは２０〜８０ｍｍ、さらに好ましくは３０〜６０ｍｍ程度であってもよく、スパンボンド、メルトブロー、フラッシュ紡糸法などの直接紡糸法では、無限長であってもよい。強度などの点から、不織布としては、長繊維不織布が好ましい。
【００４３】
不織布の目付は１０〜５００ｇ／ｍ２程度の範囲から選択でき、例えば１０〜１００ｇ／ｍ２、好ましくは２０〜８０ｇ／ｍ２、さらに好ましくは２５〜６０ｇ／ｍ２（特に３０〜５０ｇ／ｍ２）程度である。目付が大きすぎると、透湿防水シートの柔軟性が低下する虞があり、逆に小さすぎると、補強効果が小さくなる虞がある。
【００４４】
不織布も、前記多孔質層と同様の添加剤を含んでいてもよい。添加剤の割合は、補強層全体に対して５０質量％以下、好ましくは０．０１〜３０質量％、さらに好ましくは０．１〜１０質量％程度である。
【００４５】
不織布は、慣用の方法、例えば、前記繊維を含むウェブの形成工程と、ウェブの接着工程とを経て調製でき、具体的には、スパンボンド、メルトブロー、フラッシュ紡糸、ケミカルボンド、サーマルボンド、スパンレース、ニードルパンチ、ステッチボンド法などにより調製できる。これらのうち、強度などの点から、スパンボンド法が好ましい。特に、不織布は、ポリエステルスパンボンド不織布であってもよい。
【００４６】
補強層の平均厚みは、例えば１〜５００μｍ、好ましくは５〜４００μｍ、さらに好ましくは１０〜３００μｍ程度である。補強層の平均厚みは、多孔質層の平均厚みに対して０．１〜１００倍、好ましくは０．２〜５０倍、さらに好ましくは０．５〜２０倍程度である。
【００４７】
多孔質層と補強層とは、接着剤などを用いた慣用の方法で接着されていてもよく、例えば、両層の接触面に対して部分的又は全面に接着層を介在させて接着してもよい。接着層としては、慣用の接着剤や粘着剤、例えば、（メタ）アクリル系接着剤又は粘着剤、ポリエステル系接着剤又は粘着剤、ウレタン系接着剤又は粘着剤などで形成された接着層であってもよい。接着層の割合は、多孔質層１００質量部に対して０．１〜５０質量部（特に１〜３０質量部）程度であってもよい。
【００４８】
（他のシート）
前記カバーシートは、少なくとも一部の領域が透湿防水シートで形成されていてもよく、固形培地の水分及び温度を調整し易い点から、カバーシート全体において、透湿防水シートの占める面積割合は３０％以上であればよく、例えば４０〜１００％、好ましくは５０〜１００％、さらに好ましくは６０〜１００％（特に８０〜１００％）程度である。
【００４９】
透湿防水シートがカバーシートの一部の領域に形成される場合、透湿防水シートが占める領域は、形状などに応じて適宜選択でき、特に限定されないが、例えば、袋状の場合、表面及び裏面（固形培地を収容した状態での表面側のシート及び裏面側のシート）のいずれか一方の領域を透湿防水シートで形成してもよい。
【００５０】
また、透湿防水シートがカバーシートの一部の領域に形成される場合、透湿防水シートと組み合わせる他のシートは、特に限定されず、カバーシートに要求される水分や温度条件に応じて選択でき、水蒸気の透過量を大きくする場合は、通水シートであってもよく、逆に、水蒸気の透過量を小さくする場合は、非透湿シートであってもよい。これらのうち、水分を調整し易く、外部からの浸水による病原菌の侵入も抑制できる点から、非透湿シートが好ましい。
【００５１】
非透湿シートは、前記透湿度５００ｇ／（ｍ２・２４時間）未満であり、例えば０．０１〜４００ｇ／（ｍ２・２４時間）、好ましくは０．１〜３００ｇ／（ｍ２・２４時間）、さらに好ましくは１〜１００ｇ／（ｍ２・２４時間）程度である。
【００５２】
非透湿シートの反射率は、特に限定されないが、養液栽培用ベットの表面側に配設される場合、反射率は９０％未満であり、好ましくは８５％以下（例えば５〜８０％）、さらに好ましくは７０％以下（例えば１０〜７０％）、特に５０％以下（例えば１５〜５０％）程度である。
【００５３】
非透湿シートは、非透湿性を有していれば特に限定されないが、柔軟で取り扱い性に優れる点から、プラスチックシートが好ましい。非透湿シートとしては、例えば、前記多孔質層の項で例示された疎水性樹脂で形成された非多孔質プラスチックシートなどが挙げられる。前記疎水性樹脂のうち、柔軟性や耐水性（疎水性）などの点から、ポリオレフィン系樹脂（例えば、ポリエチレンなどのポリエチレン系樹脂やポリプロピレンなどのポリプロピレン系樹脂）が好ましく、軽量性や施工性などの点から、ポリエチレン系樹脂が特に好ましい。ポリエチレン系樹脂も、前記多孔質層の項で例示されたポリエチレン系樹脂などが挙げられる。
【００５４】
他のシートも、前記多孔質層と同様の添加剤を含んでいてもよい。添加剤の割合は、他のシート全体に対して５０質量％以下、好ましくは０．０１〜３０質量％、さらに好ましくは０．１〜１０質量％程度である。
【００５５】
他のシートの平均厚みは、例えば１０〜５００μｍ、好ましくは３０〜３００μｍ、さらに好ましくは５０〜２００μｍ程度である。
【００５６】
透湿防水シートと他のシートとを組み合わせる場合、両シートは、カバーシートの形状に応じて、慣用の方法で一体化してもよい。例えば、袋状の場合、一体化方法としては、各々のシートの端部同士を接着剤又は粘着剤を用いて一体化する方法、各々のシートの端部同士を熱融着して一体化する方法、固定具を用いて各々のシートの端部同士を一体化する方法などが挙げられる。
【００５７】
熱融着して一体化する方法としては、基材層及び補強層ともに熱融着を有する素材で形成し、加熱又は加熱圧着することにより一体化する方法などが挙げられる。
【００５８】
固定具を用いる方法としては、ホッチキス針などのステープルなどを用いて部分的に固定化する方法、貼付層と基材層の端部を粘着テープで固定化する方法、面ファスナーを用いる方法、糸で縫製する（縫い付ける）方法などが挙げられる。
【００５９】
これらの方法のうち、簡便であり、かつカバーシートが、疎水性樹脂を含む多孔質層と不織布を含む補強層とを含む透湿防水シートで形成されている場合、熱融着による破損も抑制できる点から、熱融着して一体化する方法が好ましい。
【００６０】
カバーシートとしては、前記特性（特に温度の低下機能）に優れる点から、全面が透湿防水シートで形成されているカバーシート（透湿防水シートのみで形成されたカバーシート）が好ましい。
【００６１】
（カバーシートの形状）
カバーシートは、柔軟性に優れるため、所望の形状で容易に養液保持体を覆うことにより、養液保持体のカバーシートに収容できる。また、カバーシートは、養液保持体の少なくとも一部を覆えばよいが、養液保持体の水分及び温度を調整し易い点から、養液保持体の略全面を覆うのが好ましい。
【００６２】
このようなカバーシートの形状は、養液保持体を収容できれば、特に限定されず、蓋部と収容部とを備えた容器であってもよいが、通常、簡便性などの点から、袋（袋状）である。袋状の形態も、栽培する植物の種類などに応じて適宜選択でき、１つの開放端を有する形態（いわゆる袋状）であってもよく、養液保持体を収容した後に前記固定具などを用いて袋状に固定した形態であってもよい。なお、カバーシートが袋状である養液栽培用ベットは、養液栽培用バックとも称される。
【００６３】
カバーシートは、通常、養液保持体を収容した状態で表面に、養液を注入するための養液注入口（穴部）と、野菜などの植物を生育するための苗用穴部とを備えている。前記両穴部の大きさは、カバーシートによる温度及び水分調整能を低下させない点から、カバーシート全体の表面積に対して３０％以下（例えば１〜２０％、特に３〜１０％程度）の面積を占めるのが好ましい。
【００６４】
［養液栽培用ベット］
本発明の養液栽培用ベットでは、前記カバーシートに養液保持体が収容されている。この養液保持体は、野菜などの植物の養液を保持できれば、特に限定されず、固形培地耕で慣用的に利用される固形培地（培土）であってもよい。
【００６５】
このような固形培地は、養液を保持可能な隙間を有する形状を有していればよく、各種の無機材料及び有機材料を利用できる。具体的には、固形培地としては、例えば、繊維質材料（例えば、ヤシ殻粉砕物などの植物系繊維質材料、ロックウールなどの鉱物系繊維質材料など）、粒状材料（もみ殻燻炭などのもみ殻加工品、ピートモス、木粉などの植物系粒状材料、ケイ砂、バーミキュライト、炭酸カルシウムなどの鉱物系粒状材料など）、多孔質材料（ゼオライトなどの鉱質系多孔質材料など）などが挙げられる。これらの固形培地は、単独で又は二種以上組み合わせて使用できる。
【００６６】
これらの固形培地のうち、軽量で養液の保持力が高い点から、ヤシ殻粉砕物、もみ殻加工物、ピートモス及びロックウールからなる群より選択された少なくとも１種が好ましい。
【００６７】
固形培地の見掛け密度は、例えば０．１〜５ｇ／ｃｍ３、好ましくは０．２〜４ｇ／ｃｍ３、さらに好ましくは０．３〜３ｇ／ｃｍ３程度である。
【００６８】
固形培地が粒状物を含む場合、粒状物の平均径は、例えば０．０１〜４０ｍｍ、好ましくは０．０５〜３０ｍｍ、さらに好ましくは０．１〜２０ｍｍ程度である。また、固形培地が繊維状物を含む場合、繊維状物の平均径は、例えば０．１〜３ｍｍ、好ましくは０．３〜１．５ｍｍ、さらに好ましくは０．５〜１ｍｍ程度であり、平均繊維長は、例えば０．１〜５０ｍｍ、好ましくは０．５〜４０ｍｍ、さらに好ましくは１〜３０ｍｍ程度である。
【００６９】
固形培地の水分は、例えば３０〜５００質量％、好ましくは４０〜３００質量％、さらに好ましくは５０〜２００質量％程度である。
【００７０】
本発明の養液栽培用ベットは、農業、園芸、観賞用の各種植物の栽培に利用でき、各種植物の慣用の栽培方法に応じて養液（又は養液及び水）を供給することにより、各種植物を栽培できる。ベットの養液保持体に供給される養液は、栽培される植物に応じて慣用的利用される養液を利用できる。
【００７１】
養液の供給量は、植物の種類に応じて適宜選択できるが、ベット中において、固形培地１００質量部に対して、例えば１０〜３０００質量部、好ましくは１００〜２０００質量部、さらに好ましくは２００〜１５００質量部程度を維持できるように供給されるのが好ましい。
【００７２】
本発明の養液栽培用ベットを用いた植物の栽培方法（ベットの使用方法又は設置方法）は、特に限定されないが、植物の生育を促進させ、収穫量を向上するために、カバーシートにおける可視光域の反射率が９０％未満の領域を、養液栽培用ベットの表面側に配設して栽培する方法が好ましい。さらに、底面（裏面）の透湿性を向上させたり、収穫における作業性を向上させるために、支持台や支持棒などを利用して底面を地面から離間して栽培する方法（高設栽培方法）が好ましい。
【実施例】
【００７３】
以下、実施例により、本発明をさらに具体的に説明するが、本発明はこれらの実施例に何ら限定されるものではない。実施例で用いた材料、実施例における各試験の測定方法を以下に示す。
【００７４】
［用いた材料］
透湿防水積層シート：七王工業（株）製「トーツシートＥ」、透湿度４５００ｇ／（ｍ２・２４時間）、白色微多孔質ポリエチレンフィルム（厚み３７μｍ、平均孔径２μｍ）と白色ポリエステルスパンボンド不織布（目付４０ｇ／ｍ２）とをスプレーラミネートで部分接着した積層シート
着色透湿防水積層シート：七王工業（株）製「トーツシートＥ」、透湿度４５００ｇ／（ｍ２・２４時間）、微多孔質ポリエチレンフィルム（厚み３７μｍ、平均孔径２μｍ）と灰色のポリエステルスパンボンド不織布（目付４０ｇ／ｍ２）とをスプレーラミネートで部分接着した積層シート
アクリル系エマルジョン：（株）Ｔ＆Ｋ  ＴＯＫＡ製「アクアパックワニスＦ−２」
白黒ポリエチレンフィルム：表面が白色で裏面が黒色のポリエチレンフィルム、日泉ポリテック（株）製、厚み０．１ｍｍ、透湿度４ｇ／（ｍ２・２４時間）
シルバーポリエチレンフィルム：吉比化成（株）製、厚み０．１ｍｍ、透湿度５ｇ／（ｍ２・２４時間）
防草シート：ＰＰクロス、黒色、森下（株）製「草よけシート」。
【００７５】
［透湿度］
水蒸気透過度試験機（デンマークＰＢＩ  Ｄａｎｓｅｎｓｏｒ社製「Ｌ８０−５０００型」）を用いて、ＪＩＳ  Ｋ７１２９（Ａ法）に準拠して、測定範囲０．０３で、カバーシートの透湿度［単位：ｇ／（ｍ２・２４時間）］を測定した。なお、袋の表面側と裏面側とで異なるシートを組み合わせたカバーシートは、各シートの透湿度を測定し、その平均値を透湿度とした。
【００７６】
［可視光域の反射率］
自記分光光度計（（株）日立製作所製「Ｕ−４０００」）を用いて、袋の表面側のシートについて、波長３８０ｎｍから７５０ｎｍの範囲で、かつ１ｎｍ毎の反射率［％］を測定し、それらの平均値を試験値とした。
【００７７】
［実験室における夏条件の培土（培地）の温度］
環境制御チャンバー（幅２６００ｍｍ、長さ２６００ｍｍ、高さ３２００ｍｍ）の床面に構造用合板（厚み１２ｍｍ）を敷設し、その合板の上に防草シートを敷設した。
【００７８】
この防草シートの上に栽培バック（ベット）用のベンチ（高さ１０００ｍｍ）を水平に２列設置し、このベンチの上に試験体を静置した。さらに、試験体と平行に赤外線照射装置（赤外線ランプ４×６、合計２４個）を試験体上面から赤外線ランプ先端の距離が７５０ｍｍとなるように設置した。熱電対は試験体中央で深さ５０ｍｍの箇所に設置した。
【００７９】
試験体については質量が５ｋｇになるように給水した状態で、２５℃の雰囲気下で１時間静置後、３５℃の雰囲気下で８００ＭＪ／ｍ２となるように６時間赤外線照射し、６時間後の培地温度を測定し試験値とした。
【００８０】
なお、給水については、照射直後、２時間後、４時間後、照射終了後の４回とし、１回当たり１００ｇとした。
【００８１】
［実験室における冬条件の培土（培地）の温度］
環境制御チャンバー（幅２６００ｍｍ、長さ２６００ｍｍ、高さ３２００ｍｍ）の床面に構造用合板（厚み１２ｍｍ）を敷設し、その合板の上に防草シートを敷設した。
【００８２】
この防草シートの上に栽培バック（ベット）用のベンチ（高さ１０００ｍｍ）を水平に２列設置し、このベンチの上に試験体を静置した。熱電対は試験体中央で深さ５０ｍｍの箇所に設置した。
【００８３】
試験体については質量が５ｋｇになるように給水した状態で、８℃の雰囲気下で５時間静置後、表１に示す温度（香川県農業試験場Ｆ−３ハウス、２０１４年１１月１５日の室温をモデル化）に設定し、２４時間の温度変化を測定し試験値とした。なお、給水は実施しなかった。
【００８４】
【表１】
2016174557.tif 000002
【００８５】
香川県農業試験場にて、２０１４年７月１５日、イチゴ（品種名：さぬきひめ）を、香川型イチゴピートバック養液栽培システムの栽培方式で、「さぬきひめ」の慣行栽培に準じて栽培した。詳しくは、１区当たり２バック（１６株）で２反復、イチゴを定植し、培地温度は、培地中央部深さ５ｃｍを温度・湿度データロガー（（株）ティアンドデイ製「おんどとりＴＲ−７１ｗｆ」、ステンレス保護管センサ「ＴＲ−１２２０」使用）を用いて、１０分毎に測定した。高温期の測定は、２０１４年７月２３日から９月９日まで行った。厳寒期の測定は２０１４年１２月１日から２０１５年１月３１日まで行った。また、生育調査は２０１４年９月２２日に各区８株・２反復で行った。さらに、収穫調査は２０１５年３月１４日までとした。
【００８６】
実施例１
カバーシート（バック又はベット面材）として、透湿防水積層シートを用いて、積層シートの表面側がポリエステルスパンボンド不織布となるように寸法３０５ｍｍ×８００ｍｍの袋を作製し、袋の内部に固形培地（ピートモスとヤシ殻とを、前者／後者＝５／１の質量割合で混合した培地、水分６０質量％）を約３３００ｇ充填し、野菜養液栽培用バック（ベット）を作製した。
【００８７】
実施例２
カバーシートとして、透湿防水積層シートの微多孔質ポリエチレンフィルム側にアクリル系エマルジョンを塗布面積が５５％となるように塗布し、透湿防水積層シートの透湿度を２０６０ｇ／（ｍ２・２４時間）に調整したシートを用いる以外は実施例１と同様にして野菜養液栽培用バックを作製した。
【００８８】
実施例３
袋の表面側（固形培地を充填して栽培するときの底面側）のシートとして、白黒ポリエチレンフィルムを用い（フィルムの表面側が白色となるように配置）、かつ裏面側のシートとして、透湿防水積層シートを用いて袋を作製する以外は実施例１と同様にして野菜養液栽培用バックを作製した。
【００８９】
実施例４
袋の表面側のシートとして、白黒ポリエチレンフィルムを用い（フィルムの表面側が白色となるように配置）、かつ裏面側のシートとして、実施例２で透湿度を調整した透湿防水積層シートを用いて袋を作製する以外は実施例１と同様にして野菜養液栽培用バックを作製した。
【００９０】
実施例５
カバーシートとして、着色透湿防水積層シートを用いる（積層シートの表面側が灰色ポリエステルスパンボンド不織布となるように配置）以外は実施例１と同様にして野菜養液栽培用バックを作製した。
【００９１】
比較例１
カバーシートとして、シルバーポリエチレンフィルムを用いる以外は実施例１と同様にして野菜養液栽培用バックを作製した。
【００９２】
比較例２
カバーシートとして、白黒ポリエチレンフィルムを用いる（フィルムの表面側が白色となるように配置）以外は実施例１と同様にして野菜養液栽培用バックを作製した。
【００９３】
実施例１〜５及び比較例１〜２で得られた野菜養液栽培用バックについて、夏及び冬条件の培地の温度を測定した結果を表２に示す。
【００９４】
【表２】
2016174557.tif 000003
【００９５】
実施例で得られた野菜養液栽培用バックでは、表面の反射率にかかわらず夏場でも温度の上昇が抑制されている。さらに透湿度を調整することにより、温度抑制の調整が可能となる。
【００９６】
また、実施例１及び比較例１で得られた野菜養液栽培用バックについて、本圃での栽培試験を行った結果を図１〜７及び表３〜４に示す。
【００９７】
図１は、晴天日（２０１４年７月２５日）における培地温度の日推移を示すグラフである。図１から明らかなように、実施例１の野菜養液栽培用バックでは、比較例１よりも温度の上昇が抑制された。
【００９８】
図２は、２０１４年７月２３日〜９月９日における日最高培地温度と日最高ハウス内気温との関係を示すグラフである。図２から明らかなように、実施例１の野菜養液栽培用バックでは、比較例１よりも最高温度の上昇が抑制された。
【００９９】
図３は、２０１４年１２月１日〜２０１５年１月３１日における日最高培地温度と日最高ハウス内気温との関係を示すグラフである。図３から明らかなように、実施例１の野菜養液栽培用バックでは、比較例１よりも日最高培地温度の上昇が抑制された。
【０１００】
図４は、２０１４年１２月１日〜２０１５年１月３１日における日最低培地温度と日最低ハウス内気温との関係を示すグラフである。図４から明らかなように、実施例１の野菜養液栽培用バックでは、比較例１よりも日最低培地温度の上昇が抑制された。
【０１０１】
図５は、頂花房第１花開花株率の推移を示すグラフである。図５から明らかなように、実施例１の野菜養液栽培用バックでは、比較例１よりも開花株率が高かった。
【０１０２】
図６は、第２花房第１花開花株率の推移を示すグラフである。図６から明らかなように、実施例１の野菜養液栽培用バックでは、比較例１よりも開花株率が高かった。
【０１０３】
【表３】
2016174557.tif 000004
【０１０４】
表３は、２０１４年９月２２日の生育調査結果である。表３から明らかなように、実施例１の野菜養液栽培用バックでは、比較例１よりも生育が早かった。
【０１０５】
【表４】
2016174557.tif 000005
【０１０６】
表４は、２０１５年３月１１日までの収量の調査結果であり、図７は、実施例１の月別株当たり収穫量調査結果を示すグラフである。表４及び図７から明らかなように実施例１の野菜養液栽培用バックでは、比較例１よりも上物の収穫量及び総収量が多く、乱形果外の収量が少なかった。
【産業上の利用可能性】
【０１０７】
本発明の養液栽培用ベットは、農業、園芸、観賞用の各種植物の栽培、例えば、トマト、ナス、ホウレンソウ、レタス、メロン、イチゴ、ブロッコリー、カリフラワーなどの野菜（又は果物的果菜）の栽培や、バラなどの観賞用植物などに利用でき、特に、イチゴなどの野菜の栽培に有用である。
【図１】
2016174557.tif 000006
【図２】
2016174557.tif 000007
【図３】
2016174557.tif 000008
【図４】
2016174557.tif 000009
【図５】
2016174557.tif 000010
【図６】
2016174557.tif 000011
【図７】
2016174557.tif 000012